(57)【要約】【課題】複数のＵＳＢデバイスを予め定めた所定の順番でホストコンピュータに認識させることができるＵＳＢデバイス機器を提案すること。【解決手段】ＵＳＢデバイス機器１は、ＵＳＢデバイス１１〜１４を動作させるための電源ユニット２０がオン状態になり、かつ、ホストコンピュータ５とＵＳＢハブ１０とを接続しているＶＢＵＳ６がオン状態になると信号Ｈを出力するアンド回路３０を備える。信号Ｈは第２ＵＳＢデバイス１２が接続されている第２ＶＢＵＳ３２に入力されると共に、遅延回路４１〜４３を介して第１、第３、第４ＵＳＢデバイス１１、１３、１４が接続されている第１、第３、第４ＶＢＵＳ３１、３３、３４にこの順番で入力される。各ＶＢＵＳは信号Ｈが入力された順番でオンに切り換わるので、第２、第１、第３、第４ＵＳＢデバイスの順番で、ホストコンピュータ５に認識させることができる。【選択図】図１
2008243141.tif 000002
【特許請求の範囲】
【請求項１】
ＵＳＢハブと、前記ＵＳＢハブに接続された第１、第２ＵＳＢデバイスと、前記第１、第２ＵＳＢデバイスを動作させるための電源ユニットとが搭載されているＵＳＢデバイス機器をホストコンピュータに接続し、前記第１、第２ＵＳＢデバイスをこの順番で前記ホストコンピュータに認識させるためのＵＳＢデバイス機器の認識順制御方法であって、
前記ＵＳＢハブと前記第１ＵＳＢデバイスとを接続している第１ＶＢＵＳおよび前記ＵＳＢハブと前記第２ＵＳＢデバイスとを接続している第２ＶＢＵＳをオフ状態に保持し、
前記電源ユニットおよび前記ホストコンピュータと前記ＵＳＢハブとを接続しているＶＢＵＳがオン状態になると、前記第１ＶＢＵＳをオンに切り換え、
予め定めた遅延時間の経過後に、前記第２ＶＢＵＳをオンに切り換えることを特徴とするＵＳＢデバイス機器の認識順制御方法。
【請求項２】
請求項１において、
前記第１ＵＳＢデバイスがリセットされてからリセット解除状態に切り換わるまでの時間を、前記第２ＵＳＢデバイスがリセットされてからリセット解除状態に切り換わるまでの時間よりも短くしておくことを特徴とするＵＳＢデバイス機器の認識順制御方法。
【請求項３】
請求項１において、
前記遅延時間を、前記第１ＵＳＢデバイスがリセットされてからリセット解除状態に切り換わるまでの時間と同一か、それよりも長くすることを特徴とするＵＳＢデバイス機器の認識順制御方法。
【請求項４】
請求項１、２または３に記載の認識順制御方法によって、前記ＵＳＢハブに接続されている前記第１、第２ＵＳＢデバイスを前記ホストコンピュータに認識させることを特徴とするＵＳＢデバイス機器。
【発明の詳細な説明】
【技術分野】
【０００１】
本発明は、ＵＳＢハブと、このハブに接続された複数のＵＳＢデバイスと、これらのＵＳＢデバイスを駆動させるための電源ユニットとを搭載したＵＳＢデバイス機器に関する。更に詳しくは、複数のＵＳＢデバイスを予め定めた所定の順番でホストコンピュータに認識させることができるＵＳＢデバイス機器の認識順制御方法に関する。
【背景技術】
【０００２】
スキャナなどを一体化したプリンタ複合機などのＵＳＢデバイス機器は、内部にＵＳＢハブと、このハブに接続されている複数のＵＳＢデバイスと、これらのＵＳＢデバイスを駆動させるための電源ユニットとを備えている。各ＵＳＢデバイスはＵＳＢハブを介してホストコンピュータに接続され、ホストコンピュータは各ＵＳＢデバイスを個々に認識して、それらの駆動を制御する。このようなＵＳＢデバイス機器は、例えば、特許文献１に記載されている。
【０００３】
ここで、ＵＳＢハブを介して接続されている各ＵＳＢデバイスをホストコンピュータから認識する順番は、ＵＳＢデバイス機器をホストコンピュータに接続した状態でＵＳＢデバイス機器の電源ユニットをオンにした場合と、ＵＳＢデバイス機器の電源ユニットをオン状態にしてからホストコンピュータに接続した場合とでは異なることがある。
【０００４】
図４は各ＵＳＢデバイスがホストコンピュータに認識される順番を説明するためのタイミングチャートである。ＵＳＢデバイス機器をホストコンピュータに接続した状態でＵＳＢデバイス機器の電源ユニットをオンにした場合には、図４（ａ）に示すように、ホストコンピュータからの認識順序は各ＵＳＢデバイスの初期化（ハードウエアリセット）が終了するタイミングに依存する。すなわち、各ＵＳＢデバイスのリセット解除状態に切り換わる順番が、第２ＵＳＢデバイス、第１ＵＳＢデバイス、第３ＵＳＢデバイス、第４ＵＳＢデバイスであれば、ホストコンピュータはこの順番に従って、各ＵＳＢデバイスを認識する。
【０００５】
一方、ＵＳＢデバイス機器の電源ユニットをオン状態にしてからホストコンピュータに接続した場合には、図４（ｂ）に示すように、ＵＳＢハブに搭載されているハブコントローラが規定するバスの認識順序に従って認識される。すなわち、各ＵＳＢデバイスの初期化動作はホストコンピュータに接続する前に終了しており、各ＵＳＢデバイスはいずれもリセット解除状態になっている。従って、ハブコントローラが認識するバスの順番が第１バス、第２バス、第３バス、第４バスであれば、第１バスに接続されている第１ＵＳＢデバイス、第２バスに接続されている第２ＵＳＢデバイス、第３バスに接続されている第３ＵＳＢデバイス、第４バスに接続されている第４ＵＳＢデバイスの順に、ホストコンピュータに認識される。
【特許文献１】特開２００３−２０８３９５号公報
【発明の開示】
【発明が解決しようとする課題】
【０００６】
ここで、ＵＳＢデバイス機器をホストコンピュータに接続した状態でＵＳＢデバイス機器の電源ユニットをオンに切り換えた場合に各ＵＳＢデバイスが認識される順番は、各ＵＳＢデバイスがリセット解除状態に切り換わるまでの時間を相互に調節することで、任意に設定することができる。
【０００７】
しかし、ＵＳＢデバイス機器の電源ユニットをオン状態にしてからホストコンピュータに接続した場合には、各ＵＳＢデバイスがリセット解除状態になる順番に拘らす、ＵＳＢハブに搭載されているハブコントローラの制御のみに依存してその認識順序が決まってしまう。従って、汎用のＵＳＢハブを用いてＵＳＢデバイス機器を構成する場合には、各ＵＳＢデバイスを常に所望の順番でホストコンピュータに認識させるように設定することが難しいという問題がある。
【０００８】
本発明の課題は、このような点に鑑みて、ハブコントローラの制御に依存することなく、ＵＳＢハブに接続されている複数のＵＳＢデバイスを予め定めた所定の順番でホストコンピュータに認識させることができるＵＳＢデバイス機器の認識順制御方法を提案することにある。また、搭載している複数のＵＳＢデバイスを予め定めた所定の順番でホストコンピュータに認識させることができるＵＳＢデバイス機器を提案することにある。
【課題を解決するための手段】
【０００９】
上記課題を解決するために、本発明は、ＵＳＢハブと、前記ＵＳＢハブに接続された第１、第２ＵＳＢデバイスと、前記第１、第２ＵＳＢデバイスを動作させるための電源ユニットとが搭載されているＵＳＢデバイス機器をホストコンピュータに接続し、前記第１、第２ＵＳＢデバイスをこの順番で前記ホストコンピュータに認識させるためのＵＳＢデバイス機器の認識順制御方法であって、前記ＵＳＢハブと前記第１ＵＳＢデバイスとを接続している第１ＶＢＵＳおよび前記ＵＳＢハブと前記第２ＵＳＢデバイスとを接続している第２ＶＢＵＳをオフ状態に保持し、前記電源ユニットおよび前記ホストコンピュータと前記ＵＳＢハブとを接続しているＶＢＵＳがオン状態になると、前記第１ＶＢＵＳをオンに切り換え、予め定めた遅延時間の経過後に、前記第２ＶＢＵＳをオンに切り換えることを特徴とする。
【００１０】
本発明によれば、第１および第２ＵＳＢデバイスを動作させるための電源ユニットがオン状態になり、かつ、ホストコンピュータとＵＳＢハブとを接続しているＶＢＵＳがオン状態になった後に、ホストコンピュータに早く認識させたいＵＳＢデバイスが接続されているＶＢＵＳから順番にオンに切り換えていく。ＶＢＵＳがオン状態になるとそこに接続されているＵＳＢデバイスはホストコンピュータから認識されるので、ＶＢＵＳをオンに切り換える順番に従ってＵＳＢデバイスをホストコンピュータに認識させることができる。従って、汎用のＵＳＢハブを用いた場合でも、ハブコントローラによって予め規定されているバスの認識順序に依存せずに、各ＵＳＢデバイスを所望の順番でホストコンピュータに認識させることができる。
【００１１】
本発明において、前記第１ＵＳＢデバイスがリセットされてからリセット解除状態に切り換わるまでの時間を、前記第２ＵＳＢデバイスがリセットされてからリセット解除状態に切り換わるまでの時間よりも短くしておくことが望ましい。このようにすれば、各ＵＳＢデバイスをホストコンピュータに認識させたい順番と、各ＵＳＢデバイスがリセット解除状態に切り換わる順番とが一致しているので、遅延時間を短くしても、第１、第２ＶＢＵＳがこの順番でオン状態になるのに従って、第１、第２ＵＳＢデバイスをホストコンピュータに認識させることができる。
【００１２】
また、本発明において、第１、第２ＵＳＢデバイスをこの順番でホストコンピュータに認識させるために、前記遅延時間を、前記第１ＵＳＢデバイスがリセットされてからリセット解除状態に切り換わるまでの時間と同一か、それよりも長くすることができる。このようにすれば、第２ＶＢＵＳがオンに切り換わる前に、第１ＵＳＢデバイスは確実にリセット解除状態になる。従って、第１ＵＳＢデバイスを第２ＵＳＢデバイスよりも先にホストコンピュータに認識させることができる。
【００１３】
次に、本発明は、ＵＳＢデバイス機器であって、上記の認識順制御方法によって、前記ＵＳＢハブに接続されている前記第１、第２ＵＳＢデバイスを前記ホストコンピュータに認識させることを特徴とする。本発明によれば、搭載されている複数のＵＳＢデバイスを常に所望の順番でホストコンピュータに認識させることができるので、搭載している複数のＵＳＢデバイスのうちで最後にホストコンピュータに認識されるＵＳＢデバイスを確定できる。従って、ＵＳＢデバイス機器を駆動制御するためにホストコンピュータに搭載されるアプリケーションソフトは、最後に認識されるＵＳＢデバイスのプラグアンドプレイを検出するだけで、全てのＵＳＢデバイスが使用可能になっているものと判断することができる。よって、アプリケーションソフトの構築が容易になる。
【発明の効果】
【００１４】
本発明のＵＳＢデバイス機器の認識順制御方法によれば、ＵＳＢハブとＵＳＢデバイスとを接続しているＶＢＵＳをオンに切り換える順番に従って、そのＶＢＵＳに接続されているＵＳＢデバイスをホストコンピュータに認識させることができる。従って、汎用のＵＳＢハブを用いた場合でも、ハブコントローラによって予め規定されているバスの認識順序に依存せずに、各ＵＳＢデバイスを所望の順番でホストコンピュータに認識させることができる。
【００１５】
また、本発明のＵＳＢデバイス機器によれば、搭載されている複数のＵＳＢデバイスを常に所望の順番でホストコンピュータに認識させることができるので、搭載している複数のＵＳＢデバイスのうちで最後にホストコンピュータに認識されるＵＳＢデバイスを確定できる。従って、ＵＳＢデバイス機器を駆動制御するためにホストコンピュータに搭載されるアプリケーションソフトは、最後に認識されるＵＳＢデバイスのプラグアンドプレイを検出するだけで、全てのＵＳＢデバイスが使用可能になっているものと判断することができる。よって、アプリケーションソフトの構築が容易になる。
【発明を実施するための最良の形態】
【００１６】
以下に、図面を参照して、本発明を適用したＵＳＢデバイス機器の実施の形態を説明する。
【００１７】
（ＵＳＢデバイス機器の構成）
図１は本例のＵＳＢデバイス機器の概略ブロック図である。図１に示すように、ＵＳＢデバイス機器１は、内部に、ＵＳＢハブ１０と、このＵＳＢハブ１０に接続された第１〜第４ＵＳＢデバイス１１〜１４と、各ＵＳＢデバイス１１〜１４へ初期化のためのリセット信号を入力する第１〜第４リセット回路１６〜１９と、各ＵＳＢデバイス１１〜１４および各リセット回路１６〜１９への給電を行うための電源ユニット２０を備えている。各ＵＳＢデバイス１１〜１４とそれに対応するリセット回路１６〜１９とはそれぞれ同一の基板２１〜２４上に構成されている。各ＵＳＢデバイス１１〜１４はＵＳＢハブ１０を介してホストコンピュータ５に接続されている。ホストコンピュータ５は、第２ＵＳＢデバイス１２、第１ＵＳＢデバイス１１、第３ＵＳＢデバイス１３、第４ＵＳＢデバイス１４の順番で、各ＵＳＢデバイス１１〜１４を認識するようになっている。
【００１８】
ホストコンピュータ５とＵＳＢハブ１０とはＶＢＵＳ６およびＵＳＢ信号ライン７を介して接続されている。ＵＳＢハブ１０と第１〜第４ＵＳＢデバイス１１〜１４とは、それぞれ第１〜第４ＶＢＵＳ３１〜３４および第１〜第４ＵＳＢ信号ライン３６〜３９を介して接続されている。また、ＶＢＵＳ６がオン状態であり、かつ、電源ユニット２０がオン状態である時に信号Ｈを出力するアンド回路３０と、アンド回路３０の出力信号に基づいて、所定の順番で第１〜第４ＶＢＵＳ３１〜３４をオンに切り換えるための第１〜第３遅延回路４１〜４３を備えている。
【００１９】
アンド回路３０から出力される信号Ｈは第２ＶＢＵＳ３２に入力されるようになっている。信号Ｈが入力されると第２ＶＢＵＳ３２はオン状態になる。また、アンド回路３０から出力される信号Ｈは第１遅延回路４１に入力され、第１遅延回路４１によって遅延させられて第１ＶＢＵＳ３１に入力されるようになっている。信号Ｈが入力されると第１ＶＢＵＳ３１はオン状態になる。
【００２０】
さらに、第１遅延回路４１によって遅延させられた信号Ｈは第２遅延回路４２に入力されるようになっており、第２遅延回路４２によって遅延させられて第３ＶＢＵＳ３３に入力される。信号Ｈが入力されると第３ＶＢＵＳ３３はオン状態になる。同様に、第２遅延回路４２によって遅延させられた信号Ｈは第３遅延回路４３に入力されるようになっており、第３遅延回路４３によって遅延させられた信号Ｈは第４ＶＢＵＳ３４に入力される。信号Ｈが入力されると第４ＶＢＵＳ３４はオン状態になる。
【００２１】
（ホストコンピュータに各ＵＳＢデバイスを所定の順番で認識させるための動作）
図２はホストコンピュータに各ＵＳＢデバイスを所定の順番で認識させる動作を示すフローチャートである。図３は、各ＵＳＢデバイスが接続されている各ＶＢＵＳがオン状態になるタイミングを示すタイミングチャートである。本例のＵＳＢデバイス機器１では、各ＵＳＢデバイス１１〜１４を、第２ＵＳＢデバイス１２、第１ＵＳＢデバイス１１、第３ＵＳＢデバイス１３、第４ＵＳＢデバイス１４の順番でホストコンピュータ５に認識させている。なお、本例では、予め、各ＵＳＢデバイス１１〜１４をホストコンピュータ５に認識させたい順番と、各ＵＳＢデバイス１１〜１４がリセット解除状態に切り換わる順番とを一致させてある。すなわち、各ＵＳＢデバイス１１〜１４がリセット解除状態に切り換わる順番は、図４に示したものと同様に、第２ＵＳＢデバイス１２、第１ＵＳＢデバイス１１、第３ＵＳＢデバイス１３、第４ＵＳＢデバイス１４である。
【００２２】
図２に示すように、ＵＳＢデバイス装置１の電源スイッチが操作されて電源ユニット２０がオン状態になると（ステップＳＴ１）、第１〜第４ＶＢＵＳ３１〜３４はオフ状態に保持される。また、リセット回路１６〜１９からのリセット信号によって各ＵＳＢデバイス１１〜１４の初期化が始まる（ステップＳＴ２）。そして、アンド回路３０から信号Ｈが出力される状態になるのを待つ（ステップＳＴ３）。
【００２３】
ここで、既に、ＵＳＢデバイス機器１がホストコンピュータに接続されていれば、ＶＢＵＳ６はオン状態になっている。従って、アンド回路３０からは信号Ｈが出力される。一方、未だ、ＵＳＢデバイス機器１がホストコンピュータに接続されておらず、電源ユニット２０がオン状態になった後に接続された場合には、接続された時点でＶＢＵＳ６がオンに切り換わり、アンド回路３０から信号Ｈが出力される。
【００２４】
アンド回路３０から信号Ｈが出力されると、この出力信号は第２ＵＳＢデバイス１２とＵＳＢハブ１０とを接続している第２ＶＢＵＳ３２に入力され、第２ＶＢＵＳ３２がオンに切り換わる（ステップＳＴ４）。ＶＢＵＳがオン状態になるとそこに接続されているＵＳＢデバイスをホストコンピュータから認識することが可能になるので、第２ＵＳＢデバイス１２は、ホストコンピュータ５に認識される（ステップＳＴ５）。
【００２５】
また、アンド回路３０の出力信号は第１遅延回路４１に入力される（ステップＳＴ６）。そして、遅延時間の経過後に第１遅延回路４１から第１ＵＳＢデバイス１１とＵＳＢハブ１０とを接続している第１ＶＢＵＳ３１に入力されて、第１ＶＢＵＳ３１がオンに切り換わる（ステップＳＴ７）。この結果、ホストコンピュータ５から第１ＵＳＢデバイス１１を認識することが可能になるので、第１ＵＳＢデバイス１１はホストコンピュータ５に認識される（ステップＳＴ８）。
【００２６】
第１遅延回路４１からの信号出力は第２遅延回路４２に入力される（ステップＳＴ９）。また、遅延時間の経過後に第２遅延回路４２から第３ＶＢＵＳ３３に入力され、第３ＶＢＵＳ３３はオンに切り換わる（ステップＳＴ１０）。この結果、第３ＶＢＵＳ３３に接続されている第３ＵＳＢデバイス１３はホストコンピュータ５から認識される（ステップＳＴ１１）。同様に、第２遅延回路４２からの信号出力は第３遅延回路４３に入力され、遅延時間の経過後に第３遅延回路４３から第４ＶＢＵＳ３４に入力され、第４ＶＢＵＳ３４はオンに切り換わるので（ステップＳＴ１２、ＳＴ１３）、第４ＵＳＢデバイス１４はホストコンピュータ５に認識される（ステップＳＴ１４）。
【００２７】
ここで、本例では、各ＵＳＢデバイス１１〜１４をホストコンピュータ５に認識させたい順番と、各ＵＳＢデバイス１１〜１４がリセット解除状態に切り換わる順番とを一致させてある。この結果、各ＵＳＢデバイス１１〜１４は、ホストコンピュータ５に認識させたい順番でリセット解除状態に切り換わっていくので、ＶＢＵＳ３１〜３４がオン状態に切り換わる順番に従ってホストコンピュータ５に認識させることができる。よって、遅延時間は、ごく短い時間とすることができる。
【００２８】
なお、各ＵＳＢデバイス１１〜１４をホストコンピュータ５に認識させたい順番と、各ＵＳＢデバイス１１〜１４がリセット解除状態に切り換わる順番とを一致させていない場合には、ステップＳＴ６における第１遅延回路４１による遅延時間は、例えば、最初にホストコンピュータ５に認識させたい第２ＵＳＢデバイスがリセットされてからリセット解除状態に切り換わるまでの時間と同一か、それより長くしておく。このようにすれば、次にホストコンピュータ５に認識させたい第１ＵＳＢデバイス１１が接続されている第１ＶＢＵＳ３１がオンに切り換わる前に、第２ＵＳＢデバイス１２は確実にリセット解除状態になっている。従って、第２ＵＳＢデバイス１２は第１ＵＳＢデバイス１１よりも先にホストコンピュータに認識される。
【００２９】
また、ステップＳＴ９における第２遅延回路４２の遅延時間は、２番目に認識させたい第１ＵＳＢデバイス１１がリセットされてからリセット解除状態に切り換わるまでの時間から第１遅延回路４１による遅延時間を差し引いた時間以上とする。ステップＳＴ１１における第３遅延回路４３の遅延時間は、３番目に認識させたい第３ＵＳＢデバイス１３がリセットされてからリセット解除状態に切り換わるまでの時間から第１遅延回路４１および第２遅延回路４２による遅延時間を差し引いた時間以上とする。このようにしておけば、第３ＶＢＵＳ３３がオンに切り換わる前に、第１ＵＳＢデバイス１１は確実にリセット解除状態になっているので、第１ＵＳＢデバイス１１は第３ＵＳＢデバイス１３よりも先にホストコンピュータ５に認識される。また、第４ＶＢＵＳ３４がオンに切り換わる前に、第３ＵＳＢデバイス１３は確実にリセット解除状態になっているので、第３ＵＳＢデバイス１３は第４ＵＳＢデバイス１４よりも先にホストコンピュータ５に認識される。
【００３０】
本例によれば、図３のタイミングチャートに示すように、ホストコンピュータ５にＵＳＢデバイス機器１が接続されてＶＢＵＳ６がオン状態になった後にＵＳＢデバイス機器１の電源ユニット２０がオン状態になった場合でも、また、図中において点線で示すようにＵＳＢデバイス機器１の電源ユニット２０がオン状態になった後にホストコンピュータ５にＵＳＢデバイス機器１が接続されてＶＢＵＳ６がオン状態になった場合でも、いずれの場合でも、第２、第１、第３、第４ＶＢＵＳの順番でオンに切り換わる。従って、ホストコンピュータ５が第１〜第４ＵＳＢデバイス１１〜１４を認識する順番は、必ず、第２ＵＳＢデバイス１２、第１ＵＳＢデバイス１１、第３ＵＳＢデバイス１３、第４ＵＳＢデバイス１４の順番になる。
【００３１】
以上、本発明によれば、各ＵＳＢデバイス１１〜１４を動作させるための電源ユニット２０がオン状態になり、かつ、ホストコンピュータ５とＵＳＢハブ１０とを接続しているＶＢＵＳ６がオン状態になった後に、ホストコンピュータ５に認識させたいＵＳＢデバイスが接続されているＶＢＵＳから、順番にオンに切り換えていく。ＵＳＢハブと各ＵＳＢデバイスとを接続しているＶＢＵＳがオン状態になるとそこに接続されているＵＳＢデバイスはホストコンピュータから認識されるので、ＶＢＵＳをオンに切り換える順番に従って、ＵＳＢデバイスをホストコンピュータに認識させることができる。従って、ＵＳＢハブ１０に汎用のものを用いた場合でも、そこに搭載されているハブコントローラによって予め規定されているバスの認識順序に依存せずに、各ＵＳＢデバイス１１〜１４を所望の順番でホストコンピュータ５に認識させることができる。
【００３２】
また、本例のＵＳＢデバイス機器１によれば、搭載されている第１〜第４ＵＳＢデバイス１１〜１４を常に第２、第１、第３、第４ＵＳＢデバイスの順番でホストコンピュータ５に認識させることができるので、最後にホストコンピュータ５に認識される第４ＵＳＢデバイス１４のプラグアンドプレイを検出するだけで、全てのＵＳＢデバイス１１〜１４が使用可能になっているものと判断することができる。よって、ＵＳＢデバイス機器１を駆動制御するためにホストコンピュータ５に搭載されるアプリケーションソフトの構築が容易になる。
【図面の簡単な説明】
【００３３】
【図１】本発明を適用したＵＳＢデバイス機器の概略ブロック図である。
【図２】各ＵＳＢデバイスを所定の順番で認識させる動作を示すフローチャートである。
【図３】各ＶＢＵＳがオン状態になるタイミングを示すタイミングチャートである。
【図４】ＵＳＢハブに接続されている各ＵＳＢデバイスがホストコンピュータに認識される順番を説明するためのタイミングチャートである。
【符号の説明】
【００３４】
１  ＵＳＢデバイス機器、５  ホストコンピュータ、６，３１〜３４  ＶＢＵＳ、７，３６〜３９  ＵＳＢ信号ライン、１０  ＵＳＢハブ、１１〜１４  ＵＳＢデバイス、１６〜１９  リセット回路、２０  電源ユニット、２１〜２４  基板、３０  アンド回路、４１〜４３  遅延回路
【図１】
2008243141.tif 000003
【図２】
2008243141.tif 000004
【図３】
2008243141.tif 000005
【図４】
2008243141.tif 000006